【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
第１、第２、第３および第４マッハ−ツェンダー干渉計（ＭＺＩ）と、
非対称マッハ−ツェンダー干渉計（ＡＭＺＩ）と、
第１、第２、第３および第４光源と、を備えている全光学的再生・再整形・時間調整装置において、各ＭＺＩおよびＡＭＺＩは、第１アームと、第２アームとを備えており、前記ＡＭＺＩは、前記第１および第２アームのいずれかに位相遅延をさらに含んでなり、
前記第１ＭＺＩは、前記第１光源と光学的に結合されており、第１光学信号を受信し、前記第１光学信号を増幅し、前記第１光学信号の信号対雑音比を改善し、そして前記第１光学信号が増幅された信号である第２光学信号、すなわち、前記第１光学信号の信号対雑音比よりも高い信号対雑音比を有しかつ方形波パターンを有する前記第２光学信号を送信し、
前記ＡＭＺＩは、前記第１ＭＺＩと光学的に結合されており、前記第２光学信号を受信し、前記ＡＭＺＩの第１または第２アームにわたって前記第２光学信号が位相遅延された信号を作成し、前記第２光学信号が位相遅延されていない信号を前記位相遅延された信号と組み合わせることによって第３光学信号を作成し、そして前記第３光学信号、すなわち、前記第２光学信号が再整形されかつそのデューティサイクルが調整された信号である前記第３光学信号を送信し、
前記第２ＭＺＩは、前記ＡＭＺＩと光学的に結合されており、前記第３光学信号を受信し、片側では前記第２光源と光学的に結合されており、反対側では前記第３光源と光学的に結合されており、受信した前記第３光学信号に基づいて前記第２光源と前記第３光源との間に振動を誘起させ、そして第４光学信号、すなわち、前記振動によって生じかつ前記第１光学信号のクロック速度に合った振動位相を有する前記第４光学信号を送信し、
前記第３ＭＺＩは、前記第１ＭＺＩと光学的に結合されており、前記第２光学信号を受信し、前記第２ＭＺＩと光学的に結合されており、前記第４光学信号を受信し、前記第４光学信号をゲート制御し、そして前記第２光学信号と前記ゲート制御された第４光学信号とから第５光学信号、すなわち、前記第１光学信号のクロック速度に合わせて時間調整された前記第２光学信号である前記第５光学信号を作成し、そして、
前記第４ＭＺＩは、前記第３ＭＺＩと光学的に結合されており、前記第５光学信号を受信し、前記第４光源と結合されており、前記第５光学信号に基づいて前記第４光源からの光を変調することによって第５信号のコードまたは波長を変換し、前記第４光源の変調された光から第６光学信号、すなわち、前記第５光学信号が変換された信号でありかつ前記第１光学信号が再生され、再整形され、時間調整された信号でもある前記第６光学信号を作成し、そして前記第６光学信号を送信する、ことを特徴とする前記装置。
【請求項２】
各光源は連続した波長光を発することを特徴とする請求項１に記載の装置。
【請求項３】
各光源は分散フィードバックレーザーであることを特徴とする請求項２に記載の装置。
【請求項４】
前記第１および第２アームの各々は半導体光学増幅器を備えていることを特徴とする請求項３に記載の装置。
【請求項５】
前記第１ＭＺＩおよび前記第１光源は、入力データ信号を受信しかつ前記入力データ信号から再生され再整形された信号を作成する全光学的再生および再整形（ＡＯ２Ｒ）装置を構成し、
前記ＡＭＺＩ、前記第２ＭＺＩ、前記第２光源および前記第３光源は、前記再生され再整形された信号からクロック信号を抽出する全光学クロック回復（ＡＯＣＲ）装置を構成し、
前記第３ＭＺＩは、前記クロック信号に基づいて前記再生され再整形された信号から時間調整された信号を作成する全光学時間調整（ＡＯＲ）装置を構成し、そして
前記第４ＭＺＩおよび前記第４光源は、前記時間調整された信号をコーディングおよび変換することによって、全光学的に再生され、再整形され、時間調整されたデータ信号を出力する全光学的コード及び波長変換（ＡＯＣＷＣ）装置を構成する、ことを特徴とする請求項１〜４のいずれかに記載の装置。
【請求項６】
第１、第２および第３マッハ−ツェンダー干渉計（ＭＺＩ）と、非対称マッハ−ツェンダー干渉計（ＡＭＺＩ）と、第１、第２および第３連続波長発光源と、を備えている全光学的再生・再整形・時間調整装置において、各ＭＺＩおよびＡＭＺＩは、第１アームと、第２アームとを備えており、前記ＡＭＺＩは、前記第１および第２アームのいずれかに位相遅延をさらに含んでなり、
前記第１ＭＺＩは、前記第１連続波長発光源と光学的に結合されており、第１光学信号を受信し、前記第１光学信号を増幅し、前記第１光学信号の信号対雑音比を改善し、そして前記第１光学信号が増幅された信号である第２光学信号、すなわち、前記第１光学信号の信号対雑音比よりも高い信号対雑音比を有しかつ方形波パターンを有する前記第２光学信号を送信し、
前記ＡＭＺＩは、前記第１ＭＺＩと光学的に結合されており、前記第２光学信号を受信し、前記ＡＭＺＩの第１または第２アームにわたって前記第２光学信号が位相遅延された信号を作成し、前記第２光学信号が位相遅延されていない信号を前記位相遅延された信号と組み合わせることによって第３光学信号を作成し、そして前記第３光学信号、すなわち、前記第２光学信号が再整形されかつそのデューティサイクルが調整された信号である前記第３光学信号を送信し、
前記第２ＭＺＩは、前記ＡＭＺＩと光学的に結合されており、前記第３光学信号を受信し、片側では前記第２連続波長発光源と光学的に結合されており、反対側では前記第３連続波長発光源と光学的に結合されており、受信した前記第３光学信号に基づいて前記第２連続波長発光源と前記第３連続波長発光源との間に振動を誘起させ、そして第４光学信号、すなわち、前記振動によって生じかつ前記第１光学信号のクロック速度に合った振動位相を有する前記第４光学信号を送信し、そして、
前記第３ＭＺＩは、前記第１ＭＺＩと光学的に結合されており、前記第２光学信号を受信し、前記第２ＭＺＩと光学的に結合されており、前記第４光学信号を受信し、前記第４光学信号をゲート制御し、そして前記第２光学信号と前記ゲート制御された第４光学信号とから第５光学信号、すなわち、前記第１光学信号のクロック速度に合わせて時間調整された前記第２光学信号でありかつ前記第１光学信号が再生され、再整形され、時間調整された信号でもある前記第５光学信号を作成する、ことを特徴とする前記装置。
【請求項７】
各連続波長発光源は分散フィードバックレーザーであることを特徴とする請求項６に記載の装置。
【請求項８】
前記第１および第２アームの各々は半導体光学増幅器を備えていることを特徴とする請求項７に記載の装置。
【請求項９】
前記第１ＭＺＩおよび前記第１光源は、入力データ信号を受信しかつ前記入力データ信号から再生され再整形された信号を作成する全光学的再生および再整形（ＡＯ２Ｒ）装置を構成し、
前記ＡＭＺＩ、前記第２ＭＺＩ、前記第２光源および前記第３光源は、前記再生され再整形された信号からクロック信号を抽出する全光学クロック回復（ＡＯＣＲ）装置を構成し、そして、
前記第３ＭＺＩは、前記クロック信号に基づいて前記再生され再整形された信号から時間調整された信号を作成することによって、全光学的に再生され、再整形され、時間調整されたデータ信号を出力する全光学的時間調整及びコード変換（ＡＯＲＣＣ）装置を構成する、ことを特徴とする請求項６、７または８のいずれかに記載の装置。
【請求項１０】
波長変換は前記ＡＯＣＲ装置内で行われることを特徴とする請求項９に記載の装置。
【請求項１１】
前記クロック信号および前記データ信号は前記ＡＯＲＣＣ装置内で同方向伝搬することを特徴とする請求項１０に記載の装置。
【請求項１２】
前記クロック信号および前記データ信号は前記ＡＯＲＣＣ装置内で逆方向伝搬することを特徴とする請求項１１に記載の装置。